(57)【要約】【課題】電子ビューファインダを備えた小型の撮像装置を提供する。【解決手段】撮像光学系を備えたレンズ鏡筒ユニット（１３）と、第１の筒状部材（２５）と、第１の筒状部材に対して、収納位置と引出位置との間でガイドバー（２６）に沿って移動可能な第２の筒状部材（３２）と、第２の筒状部材に設けられた視度調整手段（２８）と、第２の筒状部材が収納位置または引出位置にあることを検知する第１の検知手段（２４）と、第１の表示手段（３６）とを有し、ガイドバーは、光軸方向から見た場合において、第１の表示手段の投影面の内側に形成されており、第１の検知手段は、第１の筒状部材に固定され、光軸方向から見た場合において、第１の筒状部材の中心を通る基準線よりもレンズ鏡筒ユニットから離れた位置に配置されている。【選択図】図１３
2020112637.tif 000002
【特許請求の範囲】
【請求項１】
撮像光学系を備えたレンズ鏡筒ユニットと、
第１の筒状部材と、
前記第１の筒状部材に対して、収納位置と引出位置との間でガイドバーに沿って移動可能な第２の筒状部材と、
前記第２の筒状部材に設けられた視度調整手段と、
前記第２の筒状部材が前記収納位置または前記引出位置にあることを検知する第１の検知手段と、
第１の表示手段と、を有し、
前記ガイドバーは、光軸方向から見た場合において、前記第１の表示手段の投影面の内側に形成されており、
前記第１の検知手段は、前記第１の筒状部材に固定され、前記光軸方向から見た場合において、前記第１の筒状部材の中心を通る基準線よりも前記レンズ鏡筒ユニットから離れた位置に配置されていることを特徴とする撮像装置。
【請求項２】
前記第２の筒状部材には、張出部が設けられ、
前記張出部には、前記ガイドバーが貫通するガイド穴が設けられていることを特徴とする請求項１に記載の撮像装置。
【請求項３】
前記基準線は、前記撮像装置の上下方向の線であることを特徴とする請求項１または２に記載の撮像装置。
【請求項４】
前記第１の表示手段は、前記レンズ鏡筒ユニットの対角位置に配置されており、
前記第１の検知手段は、前記第１の表示手段に対して前記レンズ鏡筒ユニットと反対の位置に配置されていることを特徴とする請求項１乃至３のいずれか１項に記載の撮像装置。
【請求項５】
前記第１の検知手段は、前記第１の筒状部材に固定された切替手段であることを特徴とする請求項１乃至４のいずれか１項に記載の撮像装置。
【請求項６】
レンズを保持する第３の筒状部材を更に有し、
前記第３の筒状部材は、前記視度調整手段により、前記第２の筒状部材に対して前記光軸方向に移動可能であることを特徴とする請求項１乃至５のいずれか１項に記載の撮像装置。
【請求項７】
前記第２の筒状部材に結合された第４の筒状部材を更に有し、
前記第４の筒状部材の開口部に接眼部が固定されていることを特徴とする請求項１乃至６のいずれか１項に記載の撮像装置。
【請求項８】
前記第１の表示手段は、電子ビューファインダユニットの内部に設けられていることを特徴とする請求項１乃至７のいずれか１項に記載の撮像装置。
【請求項９】
チルト回転可能な第２の表示手段と、
ユーザの接眼状態を検知する第２の検知手段と、を更に有し、
前記第１の検知手段は、前記第２の表示手段がチルト回転した場合、前記第２の検知手段が反応する前に、前記第２の筒状部材が前記収納位置であることを検知することを特徴とする請求項１乃至８のいずれか１項に記載の撮像装置。
【発明の詳細な説明】
【技術分野】
【０００１】
本発明は、電子ビューファインダを備えた撮像装置に関する。
【背景技術】
【０００２】
従来、電子ビューファインダを撮像装置の本体に収納可能な撮像装置が知られている。特許文献１には、撮像装置の本体に収納されている電子ビューファインダをユーザが手前に引き出して使用する構成が開示されている。
【先行技術文献】
【特許文献】
【０００３】
【特許文献１】特許第３６７７９９１号公報
【発明の概要】
【発明が解決しようとする課題】
【０００４】
しかしながら、特許文献１に開示された構成では、２本のガイドバーを画像表示ユニットの外周部に配置しているため、撮像装置が大型化してしまう。また特許文献１には、電子ビューファインダの引出状態または収納状態を判定するセンサが開示されていない。このようなセンサを単純に配置しようとすると、配線スペースが必要となり撮像装置が大型化してしまう。
【０００５】
そこで本発明は、電子ビューファインダを備えた小型の撮像装置を提供することを目的とする。
【課題を解決するための手段】
【０００６】
本発明の一側面としての撮像装置は、撮像光学系を備えたレンズ鏡筒ユニットと、第１の筒状部材と、前記第１の筒状部材に対して、収納位置と使用位置との間でガイドバーに沿って移動可能な第２の筒状部材と、前記第２の筒状部材に設けられた視度調整手段と、前記第２の筒状部材が前記収納位置または前記引出位置にあることを検知する第１の検知手段と、第１の表示手段とを有し、前記ガイドバーは、光軸方向から見た場合において、前記第１の表示手段の投影面の内側に形成されており、前記第１の検知手段は、前記第１の筒状部材に固定され、前記光軸方向から見た場合において、前記第１の筒状部材の中心を通る基準線よりも前記レンズ鏡筒ユニットから離れた位置に配置されている。
【０００７】
本発明の他の目的及び特徴は、以下の実施形態において説明される。
【発明の効果】
【０００８】
本発明によれば、電子ビューファインダを備えた小型の撮像装置を提供することができる。
【図面の簡単な説明】
【０００９】
【図１】本実施形態におけるデジタルカメラの外観斜視図である（ポップアップユニットの収納状態）。
【図２】本実施形態におけるデジタルカメラの外観斜視図である（ポップアップユニットの突出状態）。
【図３】本実施形態におけるデジタルカメラの外観斜視図である（ポップアップユニットの使用（引出）状態）。
【図４】本実施形態における電子ビューファインダユニットの収納状態（図１および図２の状態）における斜視図である。
【図５】本実施形態における電子ビューファインダユニットの使用（引出）状態（図３の状態）における斜視図である。
【図６】本実施形態における電子ビューファインダユニットの分解斜視図である。
【図７】本実施形態における電子ビューファインダユニットの収納状態における断面図である。
【図８】本実施形態における電子ビューファインダユニットの使用（引出）状態における断面図である。
【図９】本実施形態における電子ビューファインダユニットの収納状態におけるガイドバーの位置での断面図である。
【図１０】本実施形態における接眼ガラス、ガイドバー、および、表示パネル３６を光軸方向（Ｚ軸）のプラス側から見た投影図である。
【図１１】本実施形態における電子ビューファインダユニットの収納状態におけるボールの位置での断面図である。
【図１２】本実施形態における電子ビューファインダユニットおよびレンズ鏡筒ユニットを被写体側から見た図である。
【図１３】本実施形態における電子ビューファインダユニットおよびレンズ鏡筒ユニットを撮像面側から見た図である。
【図１４】本実施形態におけるデジタルカメラを後面側（電子ビューファインダユニットとＬＣＤユニットの表示画面側）から見た図である。
【図１５】本実施形態におけるデジタルカメラのＬＣＤユニットを１８０°チルトさせた状態を示す図である。
【発明を実施するための形態】
【００１０】
以下、本発明の実施形態について、図面を参照しながら詳細に説明する。
【００１１】
まず、図１乃至図３を参照して、本実施形態におけるデジタルカメラ（撮像装置）１０の概略構成について説明する。図１乃至図３は、デジタルカメラ１０を正面側（被写体側）から見た外観斜視図である。図１は、電子ビューファインダユニット１４を含むポップアップユニット１２がデジタルカメラ１０の本体に収納されている状態（収納状態）を示す。図２は、ポップアップユニット１２がデジタルカメラ１０の本体から上方に突出した状態（突出状態）を示す。図３は、ポップアップユニット１２から電子ビューファインダユニット１４を引き出して電子ビューファインダユニット１４使用が可能な状態（使用状態または引出状態）を示す。なお、以下の説明では、デジタルカメラ１０の前後方向を向くＺ軸において、レンズ鏡筒ユニット１３側をＺ軸のマイナス方向として前方とし、Ｚ軸のプラス方向を後方とする。Ｚ軸は、レンズ鏡筒ユニット１３の光軸方向に平行である。
【００１２】
デジタルカメラ１０は、ストロボユニット１１と、電子ビューファインダユニット１４を内包するポップアップユニット１２、および、レンズ鏡筒ユニット１３を有する。ポップアップユニット１２は、デジタルカメラ１０の本体に収納された状態（図１に示される収納状態）からデジタルカメラ１０の本体から上方に突出させた状態（図２に示される突出状態）に状態移行が可能なように構成されている。ポップアップユニット１２をデジタルカメラ１０の本体に収納する構成にすることで、フラットな外観面で構成された小型のデジタルカメラ１０を提供することができる。
【００１３】
電子ビューファインダユニット１４は、ポップアップユニット１２をデジタルカメラ１０の本体の上方に突出させた状態で、ポップアップユニット１２に収納可能およびポップアップユニット１２から引出可能に構成されている。電子ビューファインダユニット１４から露出している第４の筒状部材（接眼ラバー部または接眼部）１６を、デジタルカメラ１０の後方側（プラスＺ方向）に引き出すことができる。このような構成により、電子ビューファインダユニット１４を使用可能な状態（図３に示される使用状態（引出状態））に状態移行することが可能である。使用状態において、ユーザは視度調整機構で視度を合わせると、電子ビューファインダユニット１４の内部に設けられた表示パネル（第１の表示手段）３６に表示される画像をぼやけることなく確認することができる。
【００１４】
このようにデジタルカメラ１０において、ポップアップユニット１２は、本体に収納された状態（図１に示される収納状態）から、本体から上方に突出させた状態（図２に示される突出状態）に状態移行することができる。さらにポップアップユニット１２は、突出状態からデジタルカメラ１０の後方側（プラスＺ方向）に電子ビューファインダユニット１４を引き出すことにより使用可能な状態（図３に示される使用状態または引出状態）に状態移行することができる。このような構成により、デジタルカメラ１０が小型化されている。
【００１５】
次に、図４乃至図１１を参照して、電子ビューファインダユニット１４の構成について説明する。図４は、電子ビューファインダユニット１４の収納状態（図１および図２の状態）における斜視図である。図５は、電子ビューファインダユニット１４の使用（引出）状態（図３の状態）における斜視図である。図４の収納状態から図５の使用（引出）状態にすることで、視度を調整することが可能な視度調整レバー２８を操作することができる。使用（引出）状態時にのみ視度調整レバー２８を操作可能な構成とすることで、ユーザに合わせてある視度の設定が意図せずに変更されてしまうことを避けることができる。視度調整レバー２８は、ユーザの視力に合わせて電子ビューファインダユニット１４の視度を調整するための操作部材（視度調整手段）である。視度調整レバー２８は、電子ビューファインダユニット１４の上面側に設けられている。
【００１６】
図６は、電子ビューファインダユニット１４の分解斜視図である。図７は、電子ビューファインダユニット１４の収納状態における断面図である。図８は、電子ビューファインダユニット１４の使用（引出）状態における断面図である。図９は、電子ビューファインダユニット１４の収納状態におけるガイドバー２６の位置での断面図である。図１０は、接眼ガラス１５、ガイドバー２６、および、表示パネル３６を光軸方向（Ｚ軸）のプラス側から見た投影図である。図１１は、電子ビューファインダユニット１４の収納状態におけるボール３０の位置での断面図である。
【００１７】
２３は、第１のレンズ２２とマスク２１と第２のレンズ２０とを保持する第３の筒状部材（レンズホルダ）である。第３の筒状部材２３は、レンズカバー１９と係合して固定することにより、第１のレンズ２２とマスク２１と第２のレンズ２０とを保持して固定する。第３の筒状部材２３にはカムフォロア３７が設けられ、第２の筒状部材（摺動筒）３２の内側には、第３の筒状部材２３をＺ方向に直進ガイドするための嵌合溝部が設けられている。また、第２の筒状部材３２の上側には、視度を調整するための視度調整レバー２８、Ｏリング２９、および、カム２７が配置されている。また、第３の筒状部材２３のカムフォロア３７をカム２７に対して付勢するためのばね１８が第４の筒状部材１６と第３の筒状部材２３との間に設けられている。視度調整レバー２８を動かすことで、第２の筒状部材３２に対して、第３の筒状部材２３をＺ方向（光軸方向）に移動可能に構成されている。
【００１８】
第２の筒状部材３２には、ガイドバー２６が貫通するためのガイド穴４２が形成されている。ガイドバー２６は、第１の筒状部材（固定筒）２５とパネルカバー３３との間に配置され、第１の筒状部材２５およびパネルカバー３３の２つの部材により固定され支持されている。第２の筒状部材３２は、第１の筒状部材２５に対して、ガイドバー２６に沿ってＺ方向（光軸方向）に移動可能に構成されている。また、第１の筒状部材２５と第２の筒状部材３２との間には、両者の隙間を密閉しながら、摺動するためのシリコーンゴム（封止部材）３８が配置されている。また、収納状態および引出（使用）状態の位置を規制するためのボール３０が入るボール穴３９およびボール溝４０が第１の筒状部材２５および第２の筒状部材３２のそれぞれに形成されている。ボール３０が、ボール穴３９とボール溝４０に入った状態で、ボール３０を板ばね３１で付勢することで、第１の筒状部材２５に対する第２の筒状部材３２の位置を規制することができる。また、第４の筒状部材１６と第２の筒状部材（摺動筒）３２はスナップフィットにより結合しており、第４の筒状部材１６をＺ方向（光軸方向）に引き出すことで、図５に示されるような引出（使用）状態にすることが可能である。
【００１９】
スイッチ（切替手段または第１の検知手段）２４は、第１の筒状部材２５に固定されている。スイッチ２４は、第４の筒状部材１６（および第２の筒状部材３２）が収納状態であるか引出（使用）状態であるかを検知することができるような切り換えが可能な位置に配置されている。
【００２０】
次に、図１２および図１３を参照して、電子ビューファインダユニット１４と撮像光学系を備えたレンズ鏡筒ユニット１３との関係について説明する。図１２は、電子ビューファインダユニット１４およびレンズ鏡筒ユニット１３を被写体側から見た図である。図１３は、電子ビューファインダユニット１４およびレンズ鏡筒ユニット１３を撮像面側から見た図である。
【００２１】
図１２および図１３に示されるように、スイッチ２４は、第１の筒状部材（固定筒）２５の内部において、レンズ鏡筒ユニット１３から遠い側のスペースに配置されている。すなわちスイッチ２４は、第１の筒状部材２５の内部に固定され、光軸方向から見た場合において、第１の筒状部材２５の中心Ｏを通る基準線Ｌよりもレンズ鏡筒ユニット１３から離れた位置に配置されている。電子ビューファインダユニット１４の内部の配線とスイッチ２４との位置が近いため、配線上も有利である。センサホルダ４９は、レンズ鏡筒ユニット１３の内部で最も最外形が大きく、Ｚ軸方向でプラスの後方に位置する部品である。センサホルダ４９と電子ビューファインダユニット１４は、前後方向から見て斜めの位置関係にあり、多少の隙間を挟んで接している状態にある。このため、この付近にスイッチ２４を配置すると、レンズ鏡筒ユニット１３と電子ビューファインダユニット１４との間隔が大きくなり、デジタルカメラ１０の全体が大きくなってしまう。そこで本実施形態において、スイッチ２４は、レンズ鏡筒ユニット１３のセンサホルダ４９から最も離れた電子ビューファインダユニット１４の下部の位置に配置されている。
【００２２】
次に、図１４および図１５を参照して、デジタルカメラ１０の電子ビューファインダユニット１４とＬＣＤユニット５０との関係について説明する。図１４は、デジタルカメラ１０を後面側（電子ビューファインダユニット１４とＬＣＤユニット５０の表示画面側）から見た図である。図１５は、ＬＣＤユニット５０を１８０°チルトさせた状態を示す図である。
【００２３】
収納状態では、ＬＣＤユニット５０内のＬＣＤパネル（第２の表示手段）５１の画面のみが見える。一方、図１４では、ポップアップユニット１２（電子ビューファインダユニット１４）をポップアップさせた状態（突出状態）で、電子ビューファインダユニット１４は並んで見えるが、ＬＣＤユニット５０のＬＣＤパネル５１の画面が有効になる。ＬＣＤユニット５０にはアイセンサ（接眼検知手段または第２の検知手段）５２が取り付けられている。アイセンサ５２は、顔が近づいて電子ビューファインダユニット１４をユーザが覗いたときに顔が近づいたことを検知することができる。これにより電子ビューファインダユニット１４は、ポップアップさせてかつユーザの顔が近づいて接眼したときにのみ表示を有効にすることができる。一方、ＬＣＤパネル５１の表示がオフになることにより、片方のみの表示をオンにすることで電力の消費を低減（節電）することができる。
【００２４】
図１５に示されるように、ＬＣＤパネル５１がチルトした場合、ＬＣＤパネル５１により電子ビューファインダユニット１４が収納されるように（収納方向）に押される。このため、アイセンサ５２が反応する前に、電子ビューファインダユニット１４の第４の筒状部材（接眼部）１６が１８０°チルト回転したＬＣＤパネル５１に押される。これにより、収納状態を検知するスイッチ２４がオフになり、ＬＣＤパネル５１に画像が表示される。このとき、スイッチ２４がオフになることにより接眼検出の必要がなくなる。このため、アイセンサ５２の電源をオフにしてアイセンサ５２の消費電力を低減することができる。このように、電子ビューファインダユニット１４を作動させることなく、常にＬＣＤパネル５１の表示状態が維持される。
【００２５】
図６乃至図８に示されるように、第４の筒状部材１６およびパネルカバー３３には、表示パネル３６に表示された画像を覗くための開口部１６ａ、３３ａがそれぞれ設けられている。第４の筒状部材１６の開口部１６ａには、外部からゴミが侵入してレンズ部等に付着して見えが良好ではなくなることを防ぐため、透明の接眼ガラス１５が固定されている。表示パネル３６は、パネルカバー３３に固定され支持されている。表示パネル３６の表面には、外部から侵入したゴミが付着するのを防ぐため、パネルカバー３３の開口部３３ａに防塵ガラス３５が固定されている。このように電子ビューファインダユニット１４を構成することで、表示パネル３６から接眼ガラス１５の間をゴミが入らないように密閉することが可能となる。またパネルカバー３３には、通気用の開口部３３ｂが設けられており、開口部３３ｂは１μｍより小さい微小なゴミのみを通過させる通気シート３４で覆われている。ユーザが、引出（使用）・収納操作を行った際に、密閉空間の圧力が急激に変化して微小な隙間からゴミ等を含んだ空気が出入りしないようにするためである。通気シート３４により構成された通気孔により、密閉空間の圧力の急激な変化を緩和することができる。
【００２６】
図７および図８に示されるように、第４の筒状部材１６をＺ方向（光軸方向）に引出すことで、第１の筒状部材２５に対して、第４の筒状部材１６を含めて一体的に相対移動する３つの筒状部材が設けられている。３つの筒状部材は、第４の筒状部材１６と、第４の筒状部材１６の内側に配置されてスナップフィットで結合された第２の筒状部材３２と、第２の筒状部材３２の内側に配置されて第２の筒状部材３２とキー嵌合した第３の筒状部材２３である。視度調整レバー２８を操作することで、第３の筒状部材２３は、第２の筒状部材３２に対して光軸方向（Ｚ軸）に移動可能である。
【００２７】
図９に示されるように、第１の筒状部材２５に対して摺動する第２の筒状部材３２の外周部には、張出部４１が設けられている。張出部４１には、ガイドバー２６用のガイド穴４２が設けられている。ガイドバー２６は、第１の筒状部材２５とパネルカバー３３との間に配置され、両持ち構成により固定され支持されている。第１の筒状部材２５とパネルカバー３３は、互いに嵌合固定されている。両持ち固定されたガイドバー２６に沿って第２の筒状部材３２を第１の筒状部材２５に対して動かすため、第２の筒状部材３２を高精度に動かすことができる。
【００２８】
また、張出部４１を含む光軸方向（Ｚ軸）に直交する外周部には、第１の筒状部材２５と第２の筒状部材３２との間の隙間を密閉しながら摺動するためのシリコーンゴム（封止部材）３８が全周に配置されている。ガイドバー２６は、表示パネル３６の光軸方向（Ｚ軸）への投影面よりも内側に配置されている。
【００２９】
図１０に示されるように、接眼窓（接眼ガラス１５）の投影面よりも外側にガイドバー２６を配置し、表示パネル３６の投影面よりも内側にガイドバー２６を配置している。このような配置により、表示パネル３６の投影面よりも外側にガイドバー２６を配置する構成と比べて、表示パネル３６の外周に配置する部材の厚みを少なくすることができる。このため、外形の幅方向（図１１の断面方向）と高さ方向（図４の断面方向）の小型化を図ることができる。カムフォロア３７は、第３の筒状部材２３を光軸（Ｚ軸）のマイナス方向に付勢するバネ１８により、カム２７に押し付けられている。
【００３０】
図１１に示されるように、第１の筒状部材２５に対して、摺動する第２の筒状部材３２の光軸方向（Ｚ軸）の位置は、第１の筒状部材２５に設けられたボール穴３９と、第２の筒状部材３２に設けられた２箇所のボール溝４０Ａ、４０Ｂにより規制される。図１０の収納状態の際には、ボール穴３９およびボール溝４０Ａにボール３０を嵌め込んだ状態で、その外側に配置されている板ばね３１により、ボール３０を光軸方向（Ｚ軸）と直交する方向に付勢することで位置規制される。一方、引出（使用）状態の際には、ボール穴３９およびボール溝４０Ａよりもマイナスの光軸方向（Ｚ軸）に配置されたボール溝４０Ｂにボール３０を嵌め込んだ状態で、収納状態と同様に、ボール３０を板ばね３１にて付勢することで位置規制される。
【００３１】
このように本実施形態において、撮像装置（デジタルカメラ１０）は、撮像光学系を備えたレンズ鏡筒ユニット１３、第１の筒状部材２５、および第１の筒状部材に対して収納位置と引出位置との間でガイドバー２６に沿って移動可能な第２の筒状部材３２を有する。また撮像装置は、第２の筒状部材に設けられた視度調整手段（視度調整レバー２８）、第２の筒状部材が収納位置または引出位置にあることを検知する第１の検知手段（スイッチ２４）、および、第１の表示手段（表示パネル３６）を有する。ガイドバーは、光軸方向から見た場合において、第１の表示手段の投影面の内側に形成されている。第１の検知手段は、第１の筒状部材に固定され、光軸方向から見た場合において、第１の筒状部材の中心Ｏを通る基準線Ｌよりもレンズ鏡筒ユニットから離れた位置に配置されている。
【００３２】
好ましくは、第２の筒状部材には張出部４１が設けられ、張出部にはガイドバーが貫通するガイド穴４２が形成されている。また好ましくは、基準線Ｌは、撮像装置の上下方向（図１２および図１３の上下方向）の線である。好ましくは、第１の表示手段は、撮像装置においてレンズ鏡筒ユニットの対角位置に配置されている。第１の検知手段は、第１の表示手段に対してレンズ鏡筒ユニットと反対の位置に配置されている。
【００３３】
好ましくは、第１の検知手段は、第１の筒状部材に固定された切替手段（スイッチ）である。また好ましくは、撮像装置は、レンズ（第１のレンズ２２、第２のレンズ２０）を保持する第３の筒状部材２３を有する。第３の筒状部材は、視度調整手段により、第２の筒状部材に対して光軸方向に移動可能である。また好ましくは、撮像装置は、第２の筒状部材に結合された第４の筒状部材１６を有する。第４の筒状部材の開口部１６ａに接眼部（接眼ガラス１５）が固定されている。また好ましくは、第１の表示手段は、電子ビューファインダユニット１４の内部に設けられている。また好ましくは、撮像装置は、チルト回転可能な第２の表示手段（ＬＣＤパネル５１）、および、ユーザの接眼状態を検知する第２の検知手段（アイセンサ５２）を有する。第１の検知手段は、第２の表示手段がチルト回転した場合、第２の検知手段が反応する前に、第２の筒状部材が収納位置であることを検知する。
【００３４】
以上のように、本実施形態のデジタルカメラ１０は、電子ビューファインダユニット１４の収納状況（収納状態または引出状態（使用状態））を検知するスイッチ２４を有する。センサの検出結果に基づいて電子ビューファインダユニット１４の表示のオン／オフを制御することで、電力の節電が可能である。また本実施形態によれば、電子ビューファインダを備えた小型の撮像装置を提供することができる。なお本発明は、デジタルカメラだけでなく、電子ビューファインダユニットを備えたデジタルビデオカメラ等の他の撮像装置にも適用可能である。
【００３５】
以上、本発明の好ましい実施形態について説明したが、本発明はこれらの実施形態に限定されず、その要旨の範囲内で種々の変形及び変更が可能である。
【符号の説明】
【００３６】
１０  デジタルカメラ（撮像装置）
１３  レンズ鏡筒ユニット
２４  スイッチ（第１の検知手段）
２５  第１の筒状部材
２６  ガイドバー
２８  視度調整レバー（視度調整手段）
３２  第２の筒状部材
３６  表示パネル（第１の表示手段）
【図１】
2020112637.tif 000003
【図２】
2020112637.tif 000004
【図３】
2020112637.tif 000005
【図４】
2020112637.tif 000006
【図５】
2020112637.tif 000007
【図６】
2020112637.tif 000008
【図７】
2020112637.tif 000009
【図８】
2020112637.tif 000010
【図９】
2020112637.tif 000011
【図１０】
2020112637.tif 000012
【図１１】
2020112637.tif 000013
【図１２】
2020112637.tif 000014
【図１３】
2020112637.tif 000015
【図１４】
2020112637.tif 000016
【図１５】
2020112637.tif 000017